(57)【要約】    【課題】      リングバックトーンに関して発信者が利用可能なサービスの範囲をさらに拡大できるリングバックトーン制御装置を提供すること。    【解決手段】  あらかじめユーザ毎に設定された位置情報およびリングバックトーンデータ情報を組として記憶するリングバックトーン管理表データベース１１５と、発信側端末に送信するリングバックトーンデータ（現在位置を示す音楽またはメッセージを含む）を記憶するリングバックトーンデータベース１１７とを設ける。リングバックトーン管理装置１１３は、発信側端末から着信側端末への接続要求が送信された場合、着信側端末の現在位置情報およびユーザ情報に基づいて、データベース１１５に記憶されたリングバックトーン管理表を用いて、データベース１１７に記憶されたリングバックトーンデータの中から、着信側端末の現在位置に対応するリングバックトーンデータを出力する。  【選択図】      図１
2006074133.tif 000002
【特許請求の範囲】
【請求項１】
着信側端末装置の現在位置情報を取得する取得手段と、
あらかじめユーザ毎に設定された位置情報およびリングバックトーンデータ情報を組としてリングバックトーン管理表として記憶する第１記憶手段と、
発信側端末装置に送信するリングバックトーンデータを記憶する第２記憶手段と、
前記発信側端末装置から前記着信側端末装置への接続要求が送信された場合、前記取得手段によって取得された現在位置情報および前記着信側端末装置のユーザ情報に基づいて、前記第１記憶手段に記憶されたリングバックトーン管理表を用いて、前記第２記憶手段に記憶されたリングバックトーンデータの中から、前記着信側端末装置の現在位置に対応するリングバックトーンデータを出力する出力手段と、
を有することを特徴とするリングバックトーン制御装置。
【請求項２】
前記リングバックトーンデータは、現在位置を示す音楽またはメッセージを含む、請求項１記載のリングバックトーン制御装置。
【請求項３】
あらかじめユーザ毎に設定された位置情報およびリングバックトーンデータ情報を組としてリングバックトーン管理表として記憶する第１記憶手段と、
発信側端末装置に送信するリングバックトーンデータを記憶する第２記憶手段と、をあらかじめ設けておき、
着信側端末装置の現在位置情報を取得する取得ステップと、
前記発信側端末装置から前記着信側端末装置への接続要求が送信された場合、前記取得ステップで取得した現在位置情報および前記着信側端末装置のユーザ情報に基づいて、前記第１記憶手段に記憶されたリングバックトーン管理表を用いて、前記第２記憶手段に記憶されたリングバックトーンデータの中から、前記着信側端末装置の現在位置に対応するリングバックトーンデータを出力する出力ステップと、
を有することを特徴とするリングバックトーン制御方法。
【発明の詳細な説明】
【技術分野】
【０００１】
本発明は、リングバックトーン制御装置に関する。
【背景技術】
【０００２】
通信回線を利用して通信を行う方法として、通信を確立する際にあらかじめ発信側と着信側の端末間に回線を設立する回線交換方式がある。この回線交換方式では、発信側端末に対して、着信側端末との接続要求を送信中であることを知らせるために、交換機からリングバックトーンが送信される。
【０００３】
このリングバックトーンに関して、発信者が新たなサービスを受けられるようにする技術として、例えば、特許文献１に記載された技術がある。この技術においては、リングバックトーンを、あらかじめ指定した任意の音データとして発信者へ提示する。
【特許文献１】特開２００３−２７４０１６号公報
【発明の開示】
【発明が解決しようとする課題】
【０００４】
しかしながら、上記した従来の技術においては、リングバックトーンを、ただ単に、あらかじめ指定した任意の音データとして発信者へ提示するのみであるため、発信者に対する新たなサービスとしては一定の限界がある。
【０００５】
本発明は、かかる点に鑑みてなされたものであり、リングバックトーンに関して発信者が利用可能なサービスの範囲をさらに拡大することができるリングバックトーン制御装置を提供することを目的とする。
【課題を解決するための手段】
【０００６】
本発明のリングバックトーン制御装置は、着信側端末装置の現在位置情報を取得する取得手段と、あらかじめユーザ毎に設定された位置情報およびリングバックトーンデータ情報を組としてリングバックトーン管理表として記憶する第１記憶手段と、発信側端末装置に送信するリングバックトーンデータを記憶する第２記憶手段と、前記発信側端末装置から前記着信側端末装置への接続要求が送信された場合、前記取得手段によって取得された現在位置情報および前記着信側端末装置のユーザ情報に基づいて、前記第１記憶手段に記憶されたリングバックトーン管理表を用いて、前記第２記憶手段に記憶されたリングバックトーンデータの中から、前記着信側端末装置の現在位置に対応するリングバックトーンデータを出力する出力手段と、を有する構成を採る。
【発明の効果】
【０００７】
本発明によれば、リングバックトーンに関して発信者が利用可能なサービスの範囲をさらに拡大することができる。
【発明を実施するための最良の形態】
【０００８】
以下、本発明の実施の形態について、図面を参照して詳細に説明する。
【０００９】
図１は、本発明の一実施の形態に係るリングバックトーン制御装置を含む電話ネットワークの構成を示す図である。
【００１０】
図１に示す電話ネットワークは、携帯電話会社が設置する携帯電話ネットワークを有する。この携帯電話ネットワークは、携帯端末１０１ａ、１０１ｂと、携帯端末１０１ａ、１０１ｂと通信する基地局装置１０３ａ、１０３ｂと、基地局装置１０３ａ、１０３ｂを制御する基地局制御装置１０５とを有する。後述するように、携帯端末１０１ａは、自己が存在する現在位置情報を取得する機能を備えている。
【００１１】
基地局制御装置１０５には、データの中継処理を行う交換機１０７が接続されている。交換機１０７は、固定電話網１０９を介して固定電話端末１１１と接続されている。固定電話網１０９に含まれる設備は、電話会社が設置する。
【００１２】
また、交換機１０７には、ユーザデータ、位置情報データ、およびリングバックトーンデータの全般的な管理を行うリングバックトーン管理装置１１３が接続されている。リングバックトーン管理装置１１３には、後述するリングバックトーン管理表をデータベース形式で記憶するリングバックトーン管理表データベース１１５と、リングバックトーンデータをデータベース形式で記憶するリングバックトーンデータベース１１７とが接続されている。
【００１３】
なお、リングバックトーン管理表および／またはリングバックトーンデータの記憶形態は、データベース形式に限定されるわけではなく、リングバックトーン管理装置１１３の内蔵メモリに記憶されるなど、任意の形態をとることができる。
【００１４】
本実施の形態では、着信側端末が存在する位置に応じて、発信者（発信側端末）に提示するリングバックトーンを変更できるサービスを実現し、もって、発信者に対して着信側端末の所在位置を容易に知らせることを可能にしている。そのため、リングバックトーン管理表は、図２に示す構成を有し、また、着信側の携帯端末（例えば、携帯端末１０１ａ）は、ＧＰＳ衛星１１９や基地局１０３ａから送信される情報などから、自己の現在位置情報を取得する機能を備えている。
【００１５】
図２は、リングバックトーン管理表の構成の一例を示す図である。図２に示すように、リングバックトーン管理表には、着信側端末の電話番号などで示されたユーザ情報を登録する領域１２１と、ユーザ毎に設定された位置情報およびこの位置情報に対応して発信者に送信すべきリングバックトーンデータ情報を組として登録する領域１２３とが設けられている。位置情報およびリングバックトーンデータ情報をユーザがあらかじめ登録する方法は、特に限定されず、ホームページ上で設定する等、任意の適当な方法をとることができる。また、位置情報は、狭い領域に限定されず、市や県といった広い範囲で登録することも可能である。
【００１６】
リングバックトーンデータベース１１７には、音楽やメッセージ（例えば、「ただ今、会社にいます」等の、現在位置を示すものも含む）などのデータが格納されている。これらのデータは、サービス会社が提供する以外に、ユーザが通信ネットワークを経由してアップロードすること等も可能である。
【００１７】
次いで、上記構成を有する各装置の動作について、図３に示すシーケンス図を用いて説明する。なお、ここでは、一例として、発信側端末Ａを携帯端末１０１ｂまたは固定電話端末１１１とし、着信側端末Ｂを携帯端末１０１ａとする。
【００１８】
まず、発信側端末Ａが着信側端末Ｂの電話番号を入力するなどして接続要求を行うと（Ｓ１０００）、交換機１０７は、着信側端末Ｂを検索し、着信側端末Ｂが話中か否か、つまり、既に他の端末と回線が接続されているか否かを確認する（Ｓ１１００）。
【００１９】
この確認の結果、着信側端末Ｂが話中であれば（Ｓ１１００：ＹＥＳ）、交換機１０７は、発信側端末Ａに対してビジートーン（話中であることを示す信号）を送信する（Ｓ１２００）。そして、発信側端末Ａは、このビジートーンを鳴音する（Ｓ１３００）。
【００２０】
これに対し、上記確認の結果、着信側端末Ｂが話中でなければ（Ｓ１１００：ＮＯ）、交換機１０７は、リングバックトーン管理装置１１３に対して、着信側端末Ｂの電話番号（着信側電話番号）が登録されているか否かの確認要求を行う（Ｓ１４００）。そして、リングバックトーン管理装置１１３は、データベース１１５に記憶されたリングバックトーン管理表から、該当するユーザを、着信側電話番号をもとに検索し（Ｓ１５００）、着信側電話番号が登録されているか否かを判定する（Ｓ１６００）。
【００２１】
この判定の結果、着信側電話番号が登録されていない場合には（Ｓ１６００：ＮＯ）、交換機１０７にその旨を伝え、交換機１０７は、発信側端末Ａに対して通常のリングバックトーンデータを送信する（Ｓ１７００）。そして、発信側端末Ａは、この通常のリングバックトーンを鳴音し（Ｓ１８００）、回線接続要求中である旨を発信者へ伝える。一方で、着信側端末Ｂは、着信音などにより着信動作を行い（Ｓ１９００）、ユーザにより通話ボタンなどが押されるとオフフック信号を送信する（Ｓ２０００）。これにより、交換機１０７は、回線接続を完了し（Ｓ２１００）、発信側端末Ａと受信側端末Ｂとの間で通話が開始される（Ｓ２２００）。
【００２２】
これに対し、上記判定の結果、着信側電話番号が登録されている場合には（Ｓ１６００：ＹＥＳ）、交換機１０７にその旨を伝え、交換機１０７は、着信側端末Ｂに対して現在位置情報の送信を要求する（Ｓ２３００）。そして、着信側端末Ｂは、これを受けて、交換機１０７に自己の現在位置情報を送信する（Ｓ２４００）。そして、交換機１０７は、リングバックトーン管理装置１１３に対して、受け取った位置情報が登録されているか否かの確認要求を行う（Ｓ２５００）。そして、リングバックトーン管理装置１１３は、データベース１１５に記憶されたリングバックトーン管理表から、該当する位置情報を検索し（Ｓ２６００）、位置情報の登録があるか否かを判定する（Ｓ２７００）。
【００２３】
この判定の結果、位置情報の登録がない場合には（Ｓ２７００：ＮＯ）、交換機１０７にその旨を伝え、交換機１０７は、発信側端末Ａに対して通常のリングバックトーンデータを送信する（Ｓ２８００）。そして、発信側端末Ａは、この通常のリングバックトーンを鳴音し（Ｓ１８００）、回線接続要求中である旨を発信者へ伝える。一方で、着信側端末Ｂは、着信音などにより着信動作を行い（Ｓ１９００）、ユーザにより通話ボタンなどが押されるとオフフック信号を送信する（Ｓ２０００）。これにより、交換機１０７は、回線接続を完了し（Ｓ２１００）、発信側端末Ａと受信側端末Ｂとの間で通話が開始される（Ｓ２２００）。
【００２４】
これに対し、上記判定の結果、位置情報の登録がある場合には（Ｓ２７００：ＹＥＳ）、リングバックトーン管理装置１１３は、リングバックトーンデータベース１１７から該当するリングバックトーンデータを交換機１０７へ出力し（Ｓ２９００）、交換機１０７は、受け取ったリングバックトーンデータを発信側端末Ａへ送信する（Ｓ３０００）。そして、発信側端末Ａは、受け取ったデータに基づき、リングバックトーンを鳴音する（Ｓ３１００）。一方で、着信側端末Ｂは、着信音などにより着信動作を行い（Ｓ１９００）、ユーザにより通話ボタンなどが押されるとオフフック信号を送信する（Ｓ２０００）。これにより、交換機１０７は、回線接続を完了し（Ｓ２１００）、発信側端末Ａと受信側端末Ｂとの間で通話が開始される（Ｓ２２００）。
【００２５】
このように、本実施の形態によれば、リングバックトーン管理表データベース１１５を設けておき、つまり、現在位置情報を取得可能な携帯端末を持つユーザが位置情報とその位置に応じて発信者へ提示するリングバックトーンデータ（音楽やメッセージなど）とをあらかじめ設定・登録しておき、リングバックトーン管理装置１１３が、ユーザ毎に、位置情報とリングバックトーンデータを組として管理するため、回線接続要求時に、着信側端末が存在する位置に応じたリングバックトーンデータを発信者に提示することができ、発信者に対して着信側端末の所在位置を容易に知らせることが可能になり、リングバックトーンに関して発信者が利用可能なサービスの範囲をさらに拡大することができる。
【００２６】
なお、本発明は、既存のサービス、例えば、現在サービスが行われている「メロディコール」サービスに、図３中の位置情報に関係するステップＳ２３００〜ステップＳ２７００、ステップＳ２９００、ステップＳ３０００を加えることでも実現可能である。
【産業上の利用可能性】
【００２７】
本発明は、着信側端末の所在地によって発信者へ提示するリングバックトーンを変更することができ、位置情報の変化によるサービスがユーザ本人に限定されない新たなサービスの実現に有用である。また、着信側端末の所在地を容易に知りたい場合にも適用可能である。
【図面の簡単な説明】
【００２８】
【図１】本発明の一実施の形態に係るリングバックトーン制御装置を含む電話ネットワークの構成を示す図
【図２】リングバックトーン管理表の構成の一例を示す図
【図３】本実施の形態における各装置の動作を示すシーケンス図
【符号の説明】
【００２９】
１０１ａ、１０１ｂ  携帯端末
１０３ａ、１０３ｂ  基地局装置
１０５  基地局制御装置
１０７  交換機
１０９  固定電話網
１１１  固定電話端末
１１３  リングバックトーン管理装置
１１５  リングバックトーン管理表データベース
１１７  リングバックトーンデータベース
１１９  ＧＰＳ衛星
【図１】
2006074133.tif 000003
【図２】
2006074133.tif 000004
【図３】
2006074133.tif 000005